(57)【特許請求の範囲】
【請求項１】
情報記録担体が出入りする開口部を閉じる方向にバネ付勢された蓋体を有し、前記情報記録担体が前記開口部より挿入或いは排出される際に、前記蓋体が該情報記録担体により押動され、前記開口部を開く蓋体開閉装置であって、
前記蓋体は、前記開口部の内側において、前記情報記録担体を挿入或いは排出する際に前記情報記録担体が通過する通路から退避する方向に作動し、前記開口部を開く蓋体開閉装置において、
前記蓋体は、前記情報記録担体が前記開口部より挿入される際に、前記情報記録担体により押動されるときの回動中心となる第１の支軸と、前記情報記録担体が前記開口部より排出される際に、前記情報記録担体により押動されるときの回動中心となる第２の支軸とを有し、
前記第１の支軸は前記開口部側に配置され、前記第２の支軸は前記開口部側とは反対側に配置されるとともに、前記第１，第２の支軸は、固定の第３の支軸を中心としてその位置が変位する事を特徴とする蓋体開閉装置。
【請求項２】
前記第１，第２の支軸は、前記第３の支軸に回動自在に設けられたバネ部材により支持されている事を特徴とする請求項１に記載の蓋体開閉装置。
【請求項３】
前記バネ部材はねじりコイルバネであって、前記第３の支軸に該ねじりコイルバネのコイル部を回動自在に嵌合し、前記ねじりコイルバネの第１の腕を前記第１の支軸に係合させ、前記ねじりコイルバネの第２の腕を前記第２の支軸に係合させる事により、それぞれ前記開口部を閉じる方向に回動するようにバネ付勢する事を特徴とする請求項２に記載の蓋体開閉装置。
【発明の詳細な説明】
【０００１】
【発明の属する技術分野】
本発明は、オーディオ機器等において、ＭＤ（Ｍｉｎｉ  Ｄｉｓｃ）  等の情報記録担体の出入口に設けられる蓋体の開閉装置に関するものである。
【０００２】
【従来の技術】
従来より、このような蓋体は、ＭＤ等の情報記録担体の出入口である開口部に設けられ、その情報記録担体がオーディオ機器等（以下、機器と呼ぶ）の本体に出入りするときは、その開口部を開き、それ以外の通常状態においては、その開口部を閉じる働きをしている。
【０００３】
図５は、その従来の蓋体開閉装置の構成の一例を示す分解斜視図である。同図において、蓋体２１は、蓋体ホルダー２２に回動可能に取り付けられ、その蓋体ホルダー２２に設けられたスプリング２３の弾性力により、所定の回動位置に来るように制御される。図６は、その従来の蓋体開閉装置の一例の組立正面図である。このような蓋体開閉装置の組立品が、後述する機器本体のキャビネット２４に取り付けられる。
【０００４】
これらの構成を具体的に説明すると、図５に示すように、蓋体２１は、横長の直方体の板形状をした蓋部２１ａと、蓋部２１ａの左右の端部の上端よりそれぞれ左右に延びる支軸２１ｂと、更にその左右端部にそれぞれ下向きに設けられたリブ２１ｃとから成り、蓋部２１ａの前面の左右には情報記録担体をガイドする前面ガイド板２１ｄが設けられており、後面の左右には同様の図示しない後面ガイド板２１ｆ（後述）が設けられている。
【０００５】
また、横長の枠形をした蓋体ホルダー２２の左右の端部それぞれには、切り欠きによる軸受け２２ａ及びその上部にバネ取り付けボス２２ｂが設けられており、左右それぞれの軸受け２２ａ及びバネ取り付けボス２２ｂの間には、リブ２２ｃがそれぞれ設けられている。
【０００６】
蓋体２１の左右の支軸２１ｂは、蓋体ホルダー２２の相対する左右の軸受け２２ａと嵌合し、蓋体２１は、蓋体ホルダー２２に支軸２１ｂ周りに回動可能に取り付けられる。また、スプリング２３は、そのコイル部２３ａとバネ取り付けボス２２ｂが嵌合する事により、蓋体ホルダー２２の左右にそれぞれ取り付けられる。そして、それぞれのスプリング２３が有する腕である端部２３ｂ，２３ｃにより、左右それぞれのリブ２２ｃ及び２１ｃを挟み込み、スプリング２３の弾性力によって、蓋体２１が所定の回動位置に来るように制御する（図６参照）。
【０００７】
次に、情報記録担体が機器本体の開口部を通って出入りするときの、蓋体開閉装置の各部の動作について説明する。図７は、蓋体２１の蓋部２１ａ付近の側面断面図であり、図８は、蓋体２１のリブ２１ｃ付近の側面断面図である。図７（ａ）に示すように、蓋体ホルダー２２は、上記機器本体側のキャビネット２４の裏面に取り付けられており、開口部２４ａの後方に位置している。同図においては、蓋体２１が所定の回動位置である通常状態であり、蓋部２１ａが開口部２４ａを塞ぐ回動位置となっている。
【０００８】
このとき、図８（ａ）に示すように、蓋体２１のリブ２１ｃは、蓋体ホルダー２２のバネ取り付けボス２２ｂに取り付けられたスプリング２３の端部２３ｃ，２３ｂにより、蓋体ホルダー２２のリブ２２ｃを跨いで前後から挟まれ、釣り合った状態となっている。
【０００９】
上記通常状態から、図７（ｂ）に示すように、情報記録担体２５が開口部２４ａより矢印Ａ方向に挿入されると、情報記録担体２５の先端部２５ａが蓋体２１の前面ガイド板２１ｄに当接し、その作用力によって蓋体２１が支軸２１ｂ周りに図中の反時計方向に回転する。引き続き情報記録担体２５が矢印Ａ方向に機器本体内へと挿入されると、情報記録担体２５の上面部２５ｂが前面ガイド板２１ｄに対して摺動する状態となる。
【００１０】
このとき、図８（ｂ）に示すように、蓋体２１のリブ２１ｃは、支軸２１ｂ周りに図中の反時計方向に回転しており、それによってスプリング２３の端部２３ｃは、蓋体ホルダー２２のリブ２２ｃに当接し、端部２３ｂは、リブ２１ｃの後面２１ｅをスライドして、端部２３ｃに対して開いた状態となる。このときのスプリング２３の弾性力により、リブ２１ｃは、図中の時計方向に回転力を与えられる。
【００１１】
更に情報記録担体２５が機器本体内に収納されるべく、図７（ｂ）の矢印Ａ方向に挿入され、開口部２４ａや蓋体２１を完全に通過すると、スプリング２３の弾性力により、リブ２１ｃひいては蓋体２１は、それぞれ図８（ｂ），図７（ｂ）の図中の時計方向に回転し、それぞれ図８（ａ），図７（ａ）の通常状態に戻る。
【００１２】
情報記録担体２５が機器本体内に収納された後の上記通常状態から、図７（ｃ）に示すように、逆に情報記録担体２５が機器本体内より矢印Ｂ方向に排出される場合は、まず情報記録担体２５の後端部２５ｃが蓋体２１の後面ガイド板２１ｆに当接し、その作用力によって蓋体２１が支軸２１ｂ周りに図中の時計方向に回転する。引き続き情報記録担体２５が矢印Ｂ方向に機器本体から排出されると、情報記録担体２５の上面部２５ｂが後面ガイド板２１ｆに対して摺動する状態となる。
【００１３】
このとき、図８（ｃ）に示すように、蓋体２１のリブ２１ｃは、支軸２１ｂ周りに図中の時計方向に回転しており、それによってスプリング２３の端部２３ｂは、蓋体ホルダー２２のリブ２２ｃに当接し、端部２３ｃは、リブ２１ｃの前面２１ｇをスライドして、端部２３ｂに対して開いた状態となる。このときのスプリング２３の弾性力により、リブ２１ｃは、図中の反時計方向に回転力を与えられる。
【００１４】
更に情報記録担体２５が図７（ｃ）の矢印Ｂ方向に排出され、蓋体２１や開口部２４ａを完全に通過すると、スプリング２３の弾性力により、リブ２１ｃひいては蓋体２１は、それぞれ図８（ｃ），図７（ｃ）の図中の反時計方向に回転し、それぞれ図８（ａ），図７（ａ）の通常状態に戻る。以上のような構成により、例えばオーディオ機器において、ＭＤ等の情報記録担体の出入口である開口部に設けられる蓋体の開閉制御が、従来より行われている。
【００１５】
【発明が解決しようとする課題】
しかしながら、従来の技術による蓋体開閉装置では、情報記録担体が機器本体から排出される際に、蓋体は、その情報記録担体が排出される方向に回転するため、機器本体のキャビネット開口部より突出し、外観上の品位を低下させるとともに、排出されてきた情報記録担体を使用者がつかんで取り出すときの障害となっていた。また、蓋体がキャビネット開口部より突出しないようにするためには、キャビネット開口部との間に相当の隙間を設けなければならず、これも外観上の品位を低下させる原因となっていた。
【００１６】
本発明は、情報記録担体を排出する際に蓋体がキャビネット開口部より突出しない構成とする事により、上記問題点を解消し、蓋体付近の外観上の品位が高くて情報記録担体の取り出しをスムーズに行う事ができる蓋体開閉装置を提供する事を目的とする。
【００１７】
【課題を解決するための手段】
上記目的を達成するために、本発明では、情報記録担体が出入りする開口部を閉じる方向にバネ付勢された蓋体を有し、前記情報記録担体が前記開口部より挿入或いは排出される際に、前記蓋体が該情報記録担体により押動され、前記開口部を開く蓋体開閉装置であって、前記蓋体は、前記開口部の内側において、前記情報記録担体を挿入或いは排出する際に前記情報記録担体が通過する通路から退避する方向に作動し、前記開口部を開く構成とする。これにより、前記蓋体は、上記機器本体のキャビネット内部で作動する事になるので、前記開口部より外側に突出する事はない。
【００１８】
具体的には、前記蓋体は、前記情報記録担体が前記開口部より挿入される際に、前記情報記録担体により押動されるときの回動中心となる第１の支軸と、前記情報記録担体が前記開口部より排出される際に、前記情報記録担体により押動されるときの回動中心となる第２の支軸とを有し、前記第１の支軸は前記開口部側に配置され、前記第２の支軸は前記開口部側とは反対側に配置されるとともに、前記第１，第２の支軸は、固定の第３の支軸を中心としてその位置が変位する構成とする。
【００１９】
そして、前記第１，第２の支軸は、前記第３の支軸に回動自在に設けられたバネ部材により支持されている構成とし、さらには前記バネ部材はねじりコイルバネであって、前記第３の支軸にそのねじりコイルバネのコイル部を回動自在に嵌合し、前記ねじりコイルバネの第１の腕を前記第１の支軸に係合させ、前記ねじりコイルバネの第２の腕を前記第２の支軸に係合させる事により、それぞれ前記開口部を閉じる方向に回動するようにバネ付勢する構成とする。
【００２０】
【発明の実施の形態】
以下、本発明の実施の形態について、図面を参照しながら説明する。図１は、本発明の蓋体開閉装置の一実施形態を示す分解斜視図である。同図において、蓋体１は、スプリング３を介して、蓋体ホルダー２の左右に設けられた支軸２ｂの周りに回動可能に取り付けられ、そのスプリング３の弾性力により、所定の回動位置に来るように制御される。このような蓋体開閉装置が、後述する機器本体のキャビネット４に取り付けられる。
【００２１】
これらの構成を具体的に説明すると、図１に示すように、蓋体１は、横長の三角柱の形状をした蓋部１ａと、蓋部１ａの左右の端部手前側（キャビネット開口部側）下方の三角形頂点付近よりそれぞれ左右に延びる支軸１ｂと、蓋部１ａの左右の端部向こう側下方の三角形頂点付近よりそれぞれ左右に延びる支軸１ｃとから成っている。また、横長の枠形をした蓋体ホルダー２は、外枠２ａと、その外枠２ａの天井の左右の位置からそれぞれ下に延びるリブ２ｃと、その左右のリブ２ｃからそれぞれ内向きに延びる支軸２ｂとから成っている。
【００２２】
スプリング３は、そのコイル部３ａと支軸２ｂが嵌合する事により、蓋体ホルダー２の左右にそれぞれ取り付けられる。さらに、それぞれのスプリング３が有する腕である端部３ｂを蓋体１の左右それぞれの支軸１ｃに係合させ、同じく端部３ｃを蓋体１の左右それぞれの支軸１ｂに係合させる事により、蓋体１がスプリング３を介して、蓋体ホルダー２の左右に設けられた支軸２ｂの周りに回動可能に取り付けられる。そして、後述するスプリング３の弾性力及びリブ２ｃと支軸１ｂ，１ｃとの当接関係により、所定の回動位置に来るように制御される。尚、蓋部１ａの上記三角柱の形状にはこだわるものではなく、後述するように、情報記録担体からの作用力を受けてスムーズに回動可能な形状であれば良い。
【００２３】
次に、情報記録担体が機器本体の開口部を通って出入りするときの、蓋体開閉装置の各部の動作について説明する。図２は、蓋体１付近の側面断面図であり、蓋体１と蓋体ホルダー２を同図の（ａ），（ｂ）それぞれに別々に表示している。その内、同図（ｂ）に示すように、蓋体ホルダー２は、上記機器本体側のキャビネット４の裏面に取り付けられており、開口部４ａの後方に位置している。また、同図（ａ）に示すように、ここでは蓋体１が所定の回動位置である通常状態となっており、蓋部１ａが開口部４ａを塞ぐ回動位置となっている。
【００２４】
この状態では、同図（ａ）において、蓋体１の支軸１ｂは、スプリング３の端部３ｃより、蓋体ホルダー２の支軸２ｂを中心として図中の時計方向に回転力を与えられており、蓋体１の支軸１ｃは、スプリング３の端部３ｂより、蓋体ホルダー２の支軸２ｂを中心として図中の反時計方向に回転力を与えられている。このとき、支軸１ｂ，１ｃは、同図（ｂ）に示すように、蓋体ホルダー２のリブ２ｃに当接しているので、これにより蓋体１が位置決めされた状態となる。
【００２５】
図３は、情報記録担体を機器本体に挿入するときの、各部の一連の動作を示す側面断面図である。ここでは蓋体ホルダー２は省略している。上記通常状態から、図３（ａ）に示すように、情報記録担体５が開口部４ａより矢印Ａ方向に挿入されると、情報記録担体５の先端部５ａが蓋体１の前面１ｄに当接し、その作用力によって蓋体１が蓋体ホルダー２のリブ２ｃに当接している支軸１ｂ周りに図中の時計方向に回転する（同図（ｂ））。引き続き情報記録担体５が矢印Ａ方向に機器本体内へと挿入されると、蓋体１が更に回転し、情報記録担体５の下面部５ｂが前面１ｄに対して摺動する状態となる（同図（ｃ））。
【００２６】
このとき、スプリング３の端部３ｂは、端部３ｃに対して支軸２ｂ周りに大きく開いた状態となる。このときのスプリング３の弾性力により、蓋体１は、図中の反時計方向に強い回転力を与えられる。また、蓋体１は、通常状態と比較して、回転しながら下（情報記録担体５が通過する図示しない通路から退避する方向）に沈み込んだ位置となっている。更に情報記録担体５が機器本体内に収納されるべく、矢印Ａ方向に挿入され、開口部４ａや蓋体１を完全に通過すると、スプリング３の弾性力により、蓋体１は、図中の反時計方向に回転し、図２の通常状態に戻る。
【００２７】
図４は、情報記録担体が機器本体から排出されるときの、各部の一連の動作を示す側面断面図である。ここでも蓋体ホルダー２は省略している。情報記録担体５が機器本体内に収納された後の上記通常状態から、同図に示すように、逆に情報記録担体５が機器本体内より矢印Ｂ方向に排出される場合は、情報記録担体５の後端部５ｃが蓋体１の後面１ｅに当接し、その作用力によって蓋体１が蓋体ホルダー２のリブ２ｃに当接している支軸１ｃ周りに図中の反時計方向に回転する（同図（ｂ））。引き続き情報記録担体５が矢印Ｂ方向に機器本体より排出されると、蓋体１が更に回転し、情報記録担体５の下面部５ｂが後面１ｅに対して摺動する状態となる（同図（ｃ））。
【００２８】
このとき、スプリング３の端部３ｃは、端部３ｂに対して支軸２ｂ周りに大きく開いた状態となる。このときのスプリング３の弾性力により、蓋体１は、図中の時計方向に強い回転力を与えられる。また、蓋体１は、通常状態と比較して、回転しながら下（情報記録担体５が通過する図示しない通路から退避する方向）に沈み込んだ位置となっている。この動きにより、従来のような、蓋体が前方に開いて開口部から突出するという不具合が防止される。更に情報記録担体５が機器本体より矢印Ｂ方向に排出され、蓋体１や開口部４ａを完全に通過すると、スプリング３の弾性力により、蓋体１は、図中の時計方向に回転し、図２の通常状態に戻る。
【００２９】
以上のような構成により、例えばオーディオ機器において、ＭＤ等の情報記録担体の出入口である開口部に設けられる蓋体の、キャビネット開口部からの突出を防止している。尚、上記図２から図４においては、蓋体とキャビネット開口部とが或程度離れた状態で描いてあるが、もっと近づけて配置する事も当然可能である。
【００３０】
【発明の効果】
以上説明したように、本発明によれば、情報記録担体を排出する際に蓋体がキャビネット開口部より突出しない構成とする事により、蓋体とキャビネット開口部との隙間をなくす事ができるので、蓋体付近の外観上の品位が高くてしかも情報記録担体の取り出しをスムーズに行う事ができる蓋体開閉装置を提供する事ができる。
【図面の簡単な説明】
【図１】本発明の蓋体開閉装置の一実施形態を示す分解斜視図。
【図２】蓋体付近の側面断面図。
【図３】情報記録担体を機器本体に挿入するときの、各部の一連の動作を示す側面断面図。
【図４】情報記録担体が機器本体から排出されるときの、各部の一連の動作を示す側面断面図。
【図５】従来の蓋体開閉装置の構成の一例を示す分解斜視図。
【図６】従来の蓋体開閉装置の一例の組立正面図。
【図７】従来の蓋体開閉装置の蓋体の蓋部付近の側面断面図。
【図８】従来の蓋体開閉装置の蓋体のリブ付近の側面断面図。
【符号の説明】
１    蓋体
１ａ    蓋部
１ｂ，１ｃ    支軸
１ｄ    前面
１ｅ    後面
２    蓋体ホルダー
２ａ    外枠
２ｂ    支軸
２ｃ    リブ
３    スプリング
３ａ    コイル部
３ｂ，３ｂ    端部
４    キャビネット
４ａ    開口部
５    情報記録担体
５ａ    先端部
５ｂ    下面部
５ｃ    後端部
【図１】
0003571480.tif 000002
【図２】
0003571480.tif 000003
【図３】
0003571480.tif 000004
【図４】
0003571480.tif 000005
【図５】
0003571480.tif 000006
【図６】
0003571480.tif 000007
【図７】
0003571480.tif 000008
【図８】
0003571480.tif 000009